(57)【要約】【課題】用紙の損傷を防止することができるとともに、外装板が傷付くことを防止しつつ小型化を図ることが可能な用紙ホルダを提供する。【解決手段】用紙ホルダ１は、上部を括った複数枚のハガキ１０を自動販売機の前面扉９に吊り下げる際に適用するものである。用紙ホルダ１は、吊り下げたハガキ１０を所望の姿勢に維持する規制部材Ｔを備えている。規制部材Ｔは、少なくともハガキの下半分を含む位置においてハガキの前面扉に沿った左右方向の移動を規制する第１ガイド部１ｂ、１ｃと、少なくともハガキの下半分を含む位置においてハガキの前面扉から離れる方向への移動を規制する第２ガイド部１ｄ、１ｅとを備えている。【選択図】        図６
2006065475.tif 000002
【特許請求の範囲】
【請求項１】
上部を括った複数枚の用紙を自動販売機の外装板に吊り下げる際に適用する用紙ホルダにおいて、吊り下げた用紙を所望の姿勢に維持する規制部材を備えたことを特徴とする用紙ホルダ。
【請求項２】
規制部材は、
少なくとも用紙の下半分を含む位置において用紙の外装板に沿った左右方向の移動を規制する第１ガイド部と、
少なくとも用紙の下半分を含む位置において用紙の外装板から離れる方向への移動を規制する第２ガイド部と
を備えることを特徴とする請求項１に記載の用紙ホルダ。
【請求項３】
用紙の左右両辺に沿って規制部材をそれぞれ設けたことを特徴とする請求項１又は２に記載の用紙ホルダ。
【請求項４】
左右の規制部材をガード部材によって相互に連結したことを特徴とする請求項３に記載の用紙ホルダ。
【請求項５】
括り部材によって括った用紙を吊り下げるための掛止部材をガード部材と一体に形成したことを特徴とする請求項４に記載の用紙ホルダ。
【請求項６】
掛止部材は、
ガード部材の外表面から前方に向けて突出し、括り部材を載せる基端部と、
基端部から上方に向けて立ち上がる立ち上がり部と、
立ち上がり部の上部から後方に向けて突出する先端突出部と
を備えることを特徴とする請求項５に記載の用紙ホルダ。
【請求項７】
掛止部材は、
ガード部材の外表面から前方に向けて突出する凸部と、
ガード部材の外表面に取り付けた板バネと
を備え、板バネの弾性力によって板バネの先端部を凸部に接触させ、ガード部材と凸部と板バネとで囲む空間の内部に括り部材の一部を閉じ込めることを特徴とする請求項５に記載の用紙ホルダ。
【発明の詳細な説明】
【技術分野】
【０００１】
本発明は、上部を括った複数枚の用紙を自動販売機の外装板に吊り下げる際に適用する用紙ホルダに関するものである。
【背景技術】
【０００２】
飲料を自動販売機で販売するメーカは、例えば一定の期間、商品（例えば缶入り飲料、ペットボトル入り飲料又はブリックパック入り飲料）にシールを貼り付けて販売し、シールを所定の枚数集めて応募した者の中から抽選で賞品の当選者を選ぶことにより、商品の販売促進を図るようにしている。抽選に応募するためのハガキ（用紙）は、自動販売機で商品を購入した者が使用できるようにするため、商品を販売する自動販売機に取り付けてある場合が多い。
【０００３】
自動販売機にハガキを取り付ける場合には、例えばハガキを複数枚重ねることによって束にするとともに、雨水に濡れることを防止するためポリエチレンで形成したカバーでハガキの束を覆い、ハガキ及びカバーの上部中央に括り孔を設け、括り孔に括り部材を通すことによってハガキ及びカバーを括る。括ったハガキ及びカバーは、自動販売機の硬貨返却レバーの近傍にある掛止部材に括り部材を掛け止めることによって自動販売機に吊り下げられる。
【０００４】
このように上部を括った状態で自動販売機に吊り下げられたハガキは、抽選に応募する者が下方に引っ張れば、括り部材から容易に切り離して応募に供されることになる。しかしながら、例えば風が吹くなどして煽られてはためいた場合には、ハガキの角が自動販売機の外装板に激しく衝突することになり、自動販売機の外装板を傷付ける虞れがある。
【０００５】
そこで、従来では、外装板が傷付くことを防止するため、用紙ホルダを使用している。この種の用紙ホルダとしては、吊り下げたハガキと外装板との間に、ハガキのサイズよりも大きいガード部材を設けたものがある。この用紙ホルダは、ガード部材の外表面の前側に、上部を括ったハガキを配置し、ガード部材でハガキが外装板に接触しないようにすることによって外装板が傷付くことを防止している。また、この用紙ホルダでは、ハガキが雨水に濡れることを防止するため、吊り下げたハガキの上部をカバー部材によって覆うようにしている（例えば、特許文献１参照）。
【０００６】
【特許文献１】特開平１１−２１９４７４号公報
【発明の開示】
【発明が解決しようとする課題】
【０００７】
ところで、上記のような用紙ホルダでは、ガード部材をハガキのサイズよりも大きく構成しなければならないため、小型化を図ることができないという問題がある。また、風が吹いた場合には、吊り下げられたハガキが自動販売機の外装板に沿って左右方向に移動し、又は外装板から離れる方向に移動し、ハガキの上部がカバー部材に接触することになる。この場合、ハガキとカバー部材との接触個所は、括った個所からごく近い位置となる。このため、ハガキに大きな力が加わることになり、接触個所に大きな損傷を来す虞れがある。
【０００８】
本発明は、上記実情に鑑みて、ハガキの損傷を防止することができるとともに、外装板が傷付くことを防止しつつ小型化を図ることが可能な用紙ホルダを提供することを目的とする。
【課題を解決するための手段】
【０００９】
上記の目的を達成するために、本発明の請求項１に係る用紙ホルダは、上部を括った複数枚の用紙を自動販売機の外装板に吊り下げる際に適用する用紙ホルダにおいて、吊り下げた用紙を所望の姿勢に維持する規制部材を備えたことを特徴とする。
【００１０】
また、本発明の請求項２に係る用紙ホルダは、上記請求項１において、規制部材は、少なくとも用紙の下半分を含む位置において用紙の外装板に沿った左右方向の移動を規制する第１ガイド部と、少なくとも用紙の下半分を含む位置において用紙の外装板から離れる方向への移動を規制する第２ガイド部とを備えることを特徴とする。
【００１１】
また、本発明の請求項３に係る用紙ホルダは、上記請求項１又は２において、用紙の左右両辺に沿って規制部材をそれぞれ設けたことを特徴とする。
【００１２】
また、本発明の請求項４に係る用紙ホルダは、上記請求項３において、左右の規制部材をガード部材によって相互に連結したことを特徴とする。
【００１３】
また、本発明の請求項５に係る用紙ホルダは、上記請求項４において、括り部材によって括った用紙を吊り下げるための掛止部材をガード部材と一体に形成したことを特徴とする。
【００１４】
また、本発明の請求項６に係る用紙ホルダは、上記請求項５において、掛止部材が、ガード部材の外表面から前方に向けて突出し、括り部材を載せる基端部と、基端部から上方に向けて立ち上がる立ち上がり部と、立ち上がり部の上部から後方に向けて突出する先端突出部とを備えることを特徴とする。
【００１５】
また、本発明の請求項７に係る用紙ホルダは、上記請求項５において、掛止部材が、ガード部材の外表面から前方に向けて突出する凸部と、ガード部材の外表面に取り付けた板バネとを備え、板バネの弾性力によって板バネの先端部を凸部に接触させ、ガード部材と凸部と板バネとで囲む空間の内部に括り部材の一部を閉じ込めることを特徴とする。
【発明の効果】
【００１６】
本発明に係る用紙ホルダによれば、吊り下げた用紙を所望の姿勢に維持する規制部材を備えたので、例えば風が吹いても用紙が移動することがなく、用紙が損傷する事態を防止することができる。しかも、用紙の角が外装板に激しく衝突して外装板が傷付くこともないから、用紙よりも大きなサイズを有したガード部材を用意する必要がなく、用紙ホルダの小型化を図ることが可能になる。
【発明を実施するための最良の形態】
【００１７】
以下に添付図面を参照して、本発明に係る用紙ホルダの好適な実施の形態について詳細に説明する。
【００１８】
［実施の形態１］
図２は、本発明に係る実施の形態１の用紙ホルダの正面図であり、図３は、その用紙ホルダの断面側面図である。
【００１９】
ここで例示する用紙ホルダ１は、例えば自動販売機で販売する商品の宣伝広告用紙、又は自動販売機で購入した商品から剥がしたシールを貼り付けるハガキ等の用紙を、図１に示す自動販売機の外装板９に吊り下げる際に適用するものである。
【００２０】
吊り下げ対象となるハガキ１０は、図４に示すように、上部中央に括り孔１０ａを有する矩形状に形成してあり、複数枚重ねることによって束にしてある。このハガキ１０は、図には明示していないが、その外表面をカバーによって覆ってある。カバーは、複数枚重ねたものを覆うことができる直方体状で、括り孔１０ａと同一の位置となるように孔を設け、下方からハガキ１０を取り出せるように下部に開口を設け、例えばポリエチレン等の光透過性材料で形成したものであり、ハガキが雨水に濡れることを防止している。複数枚のハガキ１０は、括り孔１０ａに例えば紐等の括り部材１２を通すことにより、カバーとともに上部が括ってある。
【００２１】
ハガキ１０を吊り下げる自動販売機には、掛止部材１４が設けてある。掛止部材１４は、硬貨投入口７及び硬貨返却レバー８の周囲を覆う化粧カバー１３にＵ字形状の溝１３ａを形成することによって構成したものである。
【００２２】
一方、用紙ホルダ１は、図２に示すように、左右一対の規制部材Ｔと、これら規制部材Ｔを連結するガード部材１ａとを備えたもので、これら左右の規制部材Ｔ及びガード部材１ａを樹脂材料で一体に形成してある。ガード部材１ａは矩形平板状で、左右方向の幅がハガキ１０の幅よりもやや大きく、かつ上下方向の長さがハガキ１０の長さの半分よりもやや長くなるように形成してある。
【００２３】
規制部材Ｔは、ガード部材１ａの長さと同一長さに形成してあり、それぞれ第１ガイド部１ｂ、１ｃと第２ガイド部１ｄ、１ｅとを備えている。
【００２４】
第１ガイド部１ｂ、１ｃは、矩形平板状に形成してあり、ガード部材１ａの左右の両側部から前方に向けて直角方向に突出するようにそれぞれ配設してある。第１ガイド部１ｂと第１ガイド部１ｃとの間の間隔は、ハガキ１０の幅よりもやや広くなるように構成してある。
【００２５】
第２ガイド部１ｄ、１ｅは、矩形平板状で、ガード部材１ａに対して略平行に配置し、第１ガイド部１ｂ、１ｃの一方の側部から直角方向で互いに近接する方向に突出するように配設してある。第２ガイド部１ｄの先端と第２ガイド部１ｅの先端との間の間隙Ｇ２は、ハガキ１０の幅よりもやや狭くなるように構成してある。第２ガイド部１ｄ、１ｅとガード部材１ａとの間の間隙Ｇ１は、自動販売機に吊り下げる複数枚のハガキ１０の厚さよりもやや広くなるように構成してある。
【００２６】
そのような用紙ホルダ１は、図５に示す両面テープ２０によって図１に示す自動販売機の硬貨投入口７及び硬貨返却レバー８の下方、かつ紙幣挿入口１５の右方で、前面扉（外装板）９の表面に取り付けてある。この場合、上記用紙ホルダ１によれば、左右一対の規制部材Ｔとガード部材１ａとを一体に構成してあるため、自動販売機に取り付ける際に規制部材Ｔ相互の距離を設定する必要がなく、取付作業を容易に行うことが可能である。
【００２７】
その用紙ホルダ１を適用して自動販売機の前面扉９にハガキ１０を吊り下げるには、図５及び図６に示すように、ガード部材１ａと第２ガイド部１ｄ、１ｅとの間の間隙Ｇ１にハガキ１０を上方から挿入し、括り部材１２を掛止部材１４に掛け止めれば良い。この状態からハガキ１０を下方に引っ張れば、ハガキ１０の上端と括り孔１０ａとの間にある不要個所が破れ、ハガキ１０をさらに下方に引っ張れば、間隙Ｇ１から引き出して取り出すことができる。
【００２８】
このような自動販売機において、例えば風が吹くことによってハガキ１０が外装板９に沿って左右方向へ移動しようとした場合には、少なくともハガキ１０の下半分を含む位置に設けた第１ガイド部１ｂ、１ｃによってハガキ１０が移動することを規制する。同様に、例えば風が吹くことによってハガキ１０が外装板９から離れる方向へ移動しようとした場合には、少なくともハガキ１０の下半分を含む位置に設けた第２ガイド部１ｄ、１ｅによってハガキ１０が移動することを規制する。
【００２９】
この場合、第１ガイド部１ｂ、１ｃ及び第２ガイド部１ｄ、１ｅとハガキ１０との規制個所は、括り部材１２で括った個所から大きく離れた位置となる。従って、第１ガイド部１ｂ、１ｃ及び第２ガイド部１ｄ、１ｅとの接触個所に大きな力が加わることを防止することができ、ハガキ１０が損傷する事態を招来する虞れがなくなる。
【００３０】
加えて、実施の形態１の用紙ホルダ１は、第１ガイド部１ｂ、１ｃ及び第２ガイド部１ｄ、１ｅによって、例えば風が吹いても吊り下げられたハガキ１０の姿勢を維持できるから、ハガキ１０の角が外装板９に激しく衝突して外装板９が傷付くこともない。従って、用紙ホルダ１のガード部材１ａは、ハガキ１０のサイズよりも大きく構成する必要はなく、左右一対の規制部材Ｔを連結できる程度の大きさがあれば十分であり、自動販売機の前面扉９が傷つく事態を招来することなく用紙ホルダ１の小型化を図ることが可能になる。
【００３１】
さらに加えて、実施の形態１の用紙ホルダ１は、硬貨投入口７の下方、かつ紙幣挿入口１５の右方に取り付けてあるので、購入者が硬貨投入口７に硬貨を投入、又は紙幣挿入口１５に紙幣を挿入する際にハガキ１０が目に留まるから、ハガキ１０の視認性が良い。
【００３２】
加えて、実施の形態１の用紙ホルダ１は、第２ガイド部１ｄと第２ガイド部１ｅとの間に間隙Ｇ２が設けてあるので、間隙Ｇ２よりハガキ１０の中央部を見ることができるから、ハガキ１０の視認性が良い。
【００３３】
さらに加えて、実施の形態１の用紙ホルダ１は、両面テープ２０で自動販売機の前面扉９に取り付けるようにしているため、取り付けに当たって前面扉９に何等の加工も要しない。従って、既に設置してある自動販売機に後から用紙ホルダ１を取り付ける場合でも両面テープ２０によって簡単に取り付けることができ、取り付けの際の作業性が良い。
【００３４】
なお、実施の形態１の用紙ホルダ１の例では、用紙ホルダ１を自動販売機の前面扉（外装板）９に両面テープ２０で取り付けるもので説明したが、この発明はそれに限られず、ガード部材１ａの裏面にマグネットを貼り付け、マグネットの磁力によって用紙ホルダ１を自動販売機に取り付けるようにしても良いし、ガード部材１ａに貫通孔を設け、その貫通孔にネジを入れて用紙ホルダ１を自動販売機に取り付けるようにしても良い。
【００３５】
［実施の形態２］
図７及び図８には、この発明による用紙ホルダの実施の形態２を示す。図７及び図８に示す実施の形態２の用紙ホルダ１において、図２及び図３に示した実施の形態１の用紙ホルダ１と同様のものには同一の符号を付して説明を省略する。
【００３６】
この用紙ホルダ１は、ハガキ１０を括った括り部材１２を掛け止める掛止部材２をガード部材１ａと一体に形成してある。掛止部材２は、ガード部材１ａの上部中央に設けてあり、基端部２ａと立ち上がり部２ｂと先端突出部２ｃとを備えている。
【００３７】
基端部２ａは、ガード部材１ａの外表面から前方に向けて突出する態様で配設してあり、四角錘台状をしている。基端部２ａの上壁２ａ１は、ガード部材１ａの上壁１ａ１と同一の水平面を構成する態様で配設してある一方、基端部２ａの下壁２ａ２は、ガード部材１ａから離れるにしたがって徐々に上方に向かって傾斜する態様で配設してある。
【００３８】
立ち上がり部２ｂは、基端部２ａから上方に向けて立ち上がるものであり、基端部２ａの上壁２ａ１に直交する方向に沿って延在する平板状を成すものである。
【００３９】
先端突出部２ｃは、立ち上がり部２ｂの上部から後方に向けて、立ち上がり部２ｂと直交する方向に突出する態様で配設してある。
【００４０】
そして、図７及び図８に示す用紙ホルダ１は、括り部材１２で括ったハガキ１０を、図９に示すように、用紙ホルダ１のガード部材１ａと第２ガイド部１ｄ、１ｅとの間の間隙Ｇ１に下方から挿入し、括り部材１２を基端部２ａの上壁２ａ１の上に載せ、括り部材１２を掛止部材２に掛け止めることによってハガキ１０を吊り下げている。
【００４１】
実施の形態２の用紙ホルダ１は、複数枚のハガキ１０を括った括り部材１２を掛け止める掛止部材２を設けてあるので、化粧カバー１３に設けてある掛止部材１４を利用する必要がないから、取付場所に制限を受けることなく自動販売機に取り付けることができる。
【００４２】
加えて、実施の形態２の用紙ホルダ１は、掛止部材２が、ガード部材１ａの表面から前方に向けて突出し、掛け止めた括り部材１２を載せる基端部２ａと、基端部２ａから上方に向けて立ち上がる立ち上がり部２ｂと、立ち上がり部２ｂの上部から後方に向けて突出する先端突出部２ｃとを備えるので、ハガキ１０を上方に移動することで括り部材１２を上方に単に移動した場合、括り部材１２が先端突出部２ｃに引っ掛かるから、掛止部材２に掛け止めた括り部材１２が外れることを防止することができる。
【００４３】
さらに加えて、用紙ホルダ１の掛止部材２を、所定の弾性を有する弾性材料、例えば樹脂材料で形成する場合には、掛止部材２の弾性力に抗して指で先端突出部２ｃを前方に引き寄せ、先端突出部２ｃと前面扉９との間の間隙を大きくしながら括り部材１２を掛止部材２に掛け止めることができるので、括り部材１２を掛止部材２に容易に掛け止めることができる。加えて、掛け止め後、先端突出部２ｃから指を離した場合には、掛止部材２の弾性力によって先端突出部２ｃが後方に移動し、先端突出部２ｃと前面扉９との間隙が小さい元の位置に戻るから、掛止部材２に掛け止めた括り部材１２が外れることを確実に防止することができる。
【００４４】
加えて、実施の形態２の用紙ホルダ１は、掛止部材２に括り部材１２を掛け止めるだけで、ハガキ１０を自動販売機に吊り下げることができる。このように吊り下げる用紙ホルダ１は、例えば前面扉９の裏面側に不図示の掛止部材を設け、前面扉９を開けた後、掛止部材に括り部材１２を掛け止めることで、自動販売機にハガキ１０を吊り下げる従来の用紙ホルダよりも、前面扉（外装板）９を開ける作業を不要としてハガキ１０を自動販売機に吊り下げることができるので、吊り下げの際の作業性が良い。
【００４５】
［実施の形態３］
図１０及び図１１には、この発明による用紙ホルダの実施の形態３を示す。図１０及び図１１に示す実施の形態３の用紙ホルダ１において、図２及び図３に示した実施の形態１の用紙ホルダ１と同様のものには同一の符号を付して説明を省略する。
【００４６】
この用紙ホルダ１は、所定形状の板材の金属材料を折り曲げて、ガード部材１ａと規制部材Ｔとを形成してある。ガード部材１ａの上部左側の外表面には、括り部材１２を掛け止める掛止部材３が設けてある。掛止部材３は、所定の剛性を有する剛性材料、例えば金属材料によって形成してある。そのような掛止部材３の下方には、第１ガイド部１ｃ及び第２ガイド部１ｅを備える規制部材Ｔを配設してある。
【００４７】
掛止部材３は、凸部４と板バネ５とによって構成されている。凸部４は、半球状に形成してあり、ガード部材１ａの外表面から前方に向けて突出する態様で配設してある。一方、板バネ５は、基端部５ａと先端部５ｂと摘み部５ｃとを備えた態様で配設してある。基端部５ａは、ガード部材１ａに接触しながらガード部材１ａの外表面に沿って配設され、ガード部材１ａの外表面に取り付けられている。先端部５ｂは、ガード部材１ａの表面に対して凸部４の突出長さに相当する間隔をあけながら、ガード部材１ａの表面に沿って配設されており、板バネ５の弾性力によって一部が凸部４に接触している。摘み部５ｃは、指で摘みやすくするため、上部に行くに従ってガード部材１ａの表面から徐々に離れるように配設してある。
【００４８】
この用紙ホルダ１を自動販売機に取り付けた後、摘み部５ｃに指を引っ掛け、板バネ５の弾性力に抗して摘み部５ｃを手前側に引いて凸部４から板バネ５を離した後、括り部材１２の一部は、ガード部材１ａと凸部４と板バネ５とで囲む空間Ｓの内部に入れる。その後、摘み部５ｃから指を離し、板バネ５の弾性力によって先端部５ｂに凸部４を接触させることにより、括り部材１２の一部は空間Ｓの内部に閉じ込める。
【００４９】
実施の形態３の用紙ホルダ１は、掛止部材３が、ガード部材１ａの外表面から前方に向けて突出する凸部４と、基端部５ａをガード部材１ａの外表面に取り付けた板バネ５とを備え、板バネ５の弾性力によって板バネ５の先端部５ｂを凸部４に接触させ、ガード部材１ａと凸部４と板バネ５とで囲む空間Ｓの内部に括り部材１２の一部を閉じ込めるので、板バネ５の弾性力によって括り部材１２が抜け落ちることを防止することができる。
【００５０】
加えて、実施の形態３の用紙ホルダ１は、掛止部材３の下方に、第１ガイド部１ｃ及び第２ガイド部１ｅを備える規制部材Ｔを配設してあるので、掛止部材３の周囲に規制部材Ｔを設けないから、掛止部材２に括り部材１２を掛け止める際の作業性を向上することができる。
【００５１】
なお、実施の形態１〜３に示した例では、ハガキ１０の上半分の位置にも第１ガイド部１ｂ、１ｃ及び第２ガイド部１ｄ、１ｅを設けるもので説明した。しかし、この発明は、少なくともハガキ１０の下半分を含む位置に第１ガイド部１ｂ、１ｃ及び第２ガイド部１ｄ、１ｅを設ければ良く、ハガキ１０の上半分の位置に第１ガイド部１ｂ、１ｃ及び第２ガイド部１ｄ、１ｅを必ず設ける必要はない。
【図面の簡単な説明】
【００５２】
【図１】本発明による実施の形態１の用紙ホルダを取り付けた自動販売機を概念的に示す正面図である。
【図２】本発明による実施の形態１の用紙ホルダを概念的に示す正面図である。
【図３】図２に示した用紙ホルダを概念的に示す断面側面図である。
【図４】図２に示した用紙ホルダのガード部材の外表面の前側に配置するハガキを概念的に示す斜視図である。
【図５】図２に示した用紙ホルダに、図４に示したハガキを配置した場合を概念的に示す断面側面図である。
【図６】図２に示した用紙ホルダに、図４に示したハガキを配置した場合を概念的に示す斜視図である。
【図７】本発明による実施の形態２の用紙ホルダを概念的に示す正面図である。
【図８】図７に示した用紙ホルダを概念的に示す断面側面図である。
【図９】図７に示した用紙ホルダに、図４に示したハガキを配置した場合を概念的に示す斜視図である。
【図１０】本発明による実施の形態３の用紙ホルダを概念的に示す正面図である。
【図１１】図１０に示した用紙ホルダの掛止部材を概念的に示す断面側面図である。
【符号の説明】
【００５３】
１    用紙ホルダ
１ａ    ガード部材
１ｂ、１ｃ    第１ガイド部
１ｄ、１ｅ    第２ガイド部
２、３    掛止部材
２ａ    基端部
２ｂ    立ち上がり部
２ｃ    先端突出部
４    凸部
５    板バネ
５ｂ    先端部
９    前面扉（外装板）
１０    ハガキ（用紙）
１２    括り部材
Ｓ    空間
Ｔ    規制部材
【図１】
2006065475.tif 000003
【図２】
2006065475.tif 000004
【図３】
2006065475.tif 000005
【図４】
2006065475.tif 000006
【図５】
2006065475.tif 000007
【図６】
2006065475.tif 000008
【図７】
2006065475.tif 000009
【図８】
2006065475.tif 000010
【図９】
2006065475.tif 000011
【図１０】
2006065475.tif 000012
【図１１】
2006065475.tif 000013